(57)【要約】【課題】消費電力の増大を抑制することが可能な判断装置及び判断方法を提供する。【解決手段】ガスメータ４０は、フィルタ装置４２を備えており、圧力センサ４１からの電気信号を、１５Ｈｚ未満の信号と、１５Ｈｚ以上７０Ｈｚ未満の信号と、７０Ｈｚ以上の信号とにして出力する。そして、ガスメータ４０は、１５Ｈｚ未満の信号からガバナ無しガス器具１０の使用とガス漏れとを判断し、１５Ｈｚ以上の信号からガバナ付きガス器具１０の使用を判断する。特に、ガスメータ４０は、７０Ｈｚ以上の信号からガバナ付き且つ電子制御機能を有するガス器具の使用を判断する。【選択図】図３
2010139286.tif 000002
【特許請求の範囲】
【請求項１】
流路内のガス圧力に応じた電気信号を出力する圧力センサ、又は、流路内のガス流量に応じた電気信号を出力する流量センサからの電気信号を入力して、所定の周波数信号を選択的に出力するフィルタ手段と、
前記フィルタ手段により選択的に出力された所定の周波数信号に基づいて、ガス使用状況を判断する判断手段と、
を備えることを特徴とする判断装置。
【請求項２】
前記フィルタ手段は、第１所定値以上の周波数の信号を選択的に出力し、
前記判断手段は、第１所定値以上の周波数の信号に基づいて、ガス漏れ及びガバナ無しガス器具の使用、若しくはガバナ付きガス器具の使用、のどちらであるかを判断する
ことを特徴とする請求項１に記載の判断装置。
【請求項３】
前記判断手段は、第１所定値以上の周波数の信号の振幅値が第１所定振幅値以上でない場合のみに、ガス漏れ及びガバナ無しガス器具の使用のどちらかであると判断する
ことを特徴とする請求項２に記載の判断装置。
【請求項４】
前記フィルタ手段は、第１所定値未満の周波数の信号を選択的に出力し、
前記判断手段は、第１所定値未満の周波数の信号に基づいて、ガス漏れかガバナ無しガス器具の使用かのどちらであるかを判断する
ことを特徴とする請求項３に記載の判断装置。
【請求項５】
前記判断手段は、第１所定値未満の周波数の信号のうち、第１所定値よりも小さい第３所定値以上の周波数の信号が第３所定振幅値以上である場合にガバナ無しガス器具の使用と判断し、第３所定振幅値未満である場合にガス漏れと判断する
ことを特徴とする請求項４に記載の判断装置。
【請求項６】
前記判断手段は、流路内のガス流量が所定量以上であると判断した場合、ガス漏れと判断する
ことを特徴とする請求項３に記載の判断装置。
【請求項７】
前記判断手段は、第１所定値以上の周波数の信号の振幅値が第１所定振幅値以上である場合、ガバナ付きガス器具の使用であると判断する
ことを特徴とする請求項２から請求項６のいずれか１項に記載の判断装置。
【請求項８】
前記フィルタ手段は、第１所定値よりも大きい第４所定値以上の周波数成分を除去して出力する
ことを特徴とする請求項２から請求項７のいずれか１項に記載の判断装置。
【請求項９】
前記フィルタ手段は、第２所定値以上の周波数の信号を選択的に出力し、
前記判断手段は、第２所定値以上の周波数の信号に基づいて、電子制御機能を有するガス器具の使用であるか否かを判断する
ことを特徴とする請求項１から請求項８のいずれか１項に記載の判断装置
【請求項１０】
前記判断手段は、第２所定値以上の周波数の信号の振幅値が第２所定振幅値以上である場合に、電子制御機能を有するガス器具の使用であると判断する
ことを特徴とする請求項９に記載の判断装置。
【請求項１１】
前記フィルタ手段は、第２所定値よりも大きい第４所定値以上の周波数成分を除去して出力する
ことを特徴とする請求項９又は請求項１０のいずれかに記載の判断装置。
【請求項１２】
前記フィルタ手段は、５０Ｈｚ付近及び６０Ｈｚ付近の少なくとも一方の周波数成分を除去して出力する
ことを特徴とする請求項１から請求項１１のいずれか１項に記載の判断装置。
【請求項１３】
前記判断手段は、マイコンの１機能であって、
前記フィルタ手段は、マイコンの周辺アナログ回路である
ことを特徴とする請求項１から請求項１２のいずれか１項に記載の判断装置。
【請求項１４】
流路内のガス圧力に応じた電気信号を出力する圧力センサ、又は、流路内のガス流量に応じた電気信号を出力する流量センサからの電気信号を入力して、所定の周波数信号を選択的に出力するフィルタ工程と、
前記フィルタ工程により選択出力された所定の周波数信号に基づいて、ガス使用状況を判断する判断工程と、
を有することを特徴とする判断方法。
【発明の詳細な説明】
【技術分野】
【０００１】
本発明は、判断装置及び判断方法に関する。
【背景技術】
【０００２】
従来、使用中のガス器具にガバナが設けられているかを判断するガス器具判別装置が提案されている（例えば特許文献１参照）。
【特許文献１】特開２００５−２６５５１３号公報
【発明の開示】
【発明が解決しようとする課題】
【０００３】
また、本件出願人は、特願２００８−８６０２２の技術を発明している。この発明では、ガス圧力に基づいてガバナ付きガス器具が使用されたか、ガバナ無しガス器具が使用されたか、及び、ガス漏れが発生しているか否かを判断するようになっている。
【０００４】
しかし、特願２００８−８６０２２の技術の場合、ガバナ付きガス器具が使用されたか等のガス使用状況を判断するにあたり、圧力波形の周波数分析等を行う必要があり、この周波数分析により処理量が多くなって消費電力の増大を招いてしまう可能性がある。また、圧力と流量との間には一定の相関があることから、流量に基づいてガス使用状況を判断することも可能である。しかし、この場合であっても、流量波形の周波数分析等を行う必要があるため、処理量が多くなって消費電力の増大を招いてしまう可能性がある。
【０００５】
なお、本明細書では特願２００８−８６０２２の一部技術を説明しているが、この説明は特願２００８−８６０２２の技術の公知性を認めるものではない。さらに、流量波形に基づくガス使用状況の判断についても公知性を認めるものではない。
【０００６】
本発明はこのような従来の課題を解決するためになされたものであり、その目的とするところは、ガス使用状況を判断するにあたり、消費電力の増大を抑制することが可能な判断装置及び判断方法を提供することにある。
【課題を解決するための手段】
【０００７】
本発明の判断装置は、流路内のガス圧力に応じた電気信号を出力する圧力センサ、又は、流路内のガス流量に応じた電気信号を出力する流量センサからの電気信号を入力して、所定の周波数信号を選択的に出力するフィルタ手段と、フィルタ手段により選択的に出力された所定の周波数信号に基づいて、ガス使用状況を判断する判断手段と、を備えることを特徴とする。ここで、ガス使用状況とは、ガス器具の使用であるかガス漏れであるかのどちらに該当するか、ガバナ付きガス器具の使用であるか、使用されているガス器具がガバナ付きかガバナ無しか、及び、使用されているガス器具が電子制御機能を有するか否かの少なくとも１つを含む概念である。
【０００８】
この判断装置によれば、所定の周波数信号を選択的に出力し、選択的に出力された所定の周波数信号に基づいて、ガス使用状況を判断する。ここで、ガバナ付きガス器具の使用、ガバナ無しガス器具の使用、ガス漏れ、及び電子制御機能を有するガス器具の使用については、圧力波形や流量波形の周波数にそれぞれ差異がある。すなわち、電子制御機能を有するガス器具の使用時に最も高い周波数成分が得られ、次いで、ガバナ付きガス器具の使用時、ガバナ無しガス器具の使用、及び、ガス漏れの順となる傾向にある。よって、所定の周波数信号を選択的に出力することで、周波数分析に関する演算量を減らすことができ、ガス使用状況を判断するにあたり消費電力の増大を抑制することができる。
【０００９】
また、本発明の判断装置において、フィルタ手段は、第１所定値以上の周波数の信号を選択的に出力し、判断手段は、第１所定値以上の周波数の信号に基づいて、ガス漏れ及びガバナ無しガス器具の使用、若しくはガバナ付きガス器具の使用、のどちらであるかを判断することが好ましい。
【００１０】
この判断装置によれば、第１所定値以上の周波数の信号を選択的に出力し、第１所定値以上の周波数の信号に基づいて、ガス漏れ及びガバナ無しガス器具の使用、若しくはガバナ付きガス器具の使用、のどちらであるかを判断する。このように、ガス漏れ及びガバナ無しガス器具の使用であるか、若しくはガバナ付きガス器具の使用であるか、を判断するにあたっては、第１所定値以上の周波数の信号を分析するだけでよく、第１所定値未満の周波数の信号を分析する必要がない。よって、処理量は軽減されることとなる。従って、消費電力の増大を抑制することができる。
【００１１】
また、本発明の判断装置において、判断手段は、第１所定値以上の周波数の信号の振幅値が第１所定振幅値以上でない場合のみに、ガス漏れ及びガバナ無しガス器具の使用のどちらかであると判断することが好ましい。
【００１２】
この判断装置によれば、第１所定値以上の周波数の信号の振幅値が第１所定振幅値以上でない場合のみに、ガス漏れ及びガバナ無しガス器具の使用のどちらかであると判断する。ここで、第１所定値以上の周波数の信号の振幅値が小さいということはガバナ付きガス器具の使用であることはあり得ず、ガス漏れ又はガバナ無しガス器具の使用と断定することができる。よって、上記場合のみにガス漏れ及びガバナ無しガス器具の使用を判断することで、効率的な処理を行って、消費電力の増大を一層抑制することができる。
【００１３】
また、本発明の判断装置において、フィルタ手段は、第１所定値未満の周波数の信号を選択的に出力し、判断手段は、第１所定値未満の周波数の信号に基づいて、ガス漏れかガバナ無しガス器具の使用かのどちらであるかを判断することが好ましい。
【００１４】
また、本発明の判断装置において、判断手段は、第１所定値未満の周波数の信号のうち、第１所定値よりも小さい第３所定値以上の周波数の信号が第３所定振幅値以上である場合にガバナ無しガス器具の使用と判断し、第３所定振幅値未満である場合にガス漏れと判断することが好ましい。
【００１５】
これらの判断装置によれば、第１所定値未満の周波数の信号のうち、第１所定値よりも小さい第３所定値以上の周波数の信号が第３所定振幅値以上である場合にガバナ無しガス器具の使用と判断し、第３所定振幅値未満である場合にガス漏れと判断する。ここで、ガバナ無しガス器具の使用とガス漏れとの間では、ガバナ無しガス器具の使用時に得られる波形に含まれる高い周波数成分の振幅が大きくなり、ガス漏れ時に得られる波形ではその高い周波数成分の振幅が小さくなる傾向にある。よって、第３所定値以上の周波数の信号が第３所定振幅値以上であるか未満であるかを判断することによって、ガバナ無しガス器具の使用であるか否か、及びガス漏れであるか否かを判断することができる。
【００１６】
また、本発明の判断装置において、判断手段は、流路内のガス流量が所定量以上であると判断した場合、ガス漏れと判断することが好ましい。
【００１７】
この判断装置によれば、流路内のガス流量が所定量以上であると判断した場合、ガス漏れと判断する。すなわち、第１所定値以上の周波数の信号の振幅値が第１所定振幅値以上でなく、ガバナ付きガス器具の使用であることがあり得ない状況下において、流路内のガス流量が所定量以上となった場合には、もはやガス漏れでしかあり得なくなる。従って、上記の如く判断することにより、周波数分析という演算量が多くなる処理を行うことなく、ガス漏れを判断することができる。
【００１８】
また、本発明の判断装置において、判断手段は、第１所定値以上の周波数の信号の振幅値が第１所定振幅値以上である場合、ガバナ付きガス器具の使用であると判断することが好ましい。
【００１９】
この判断装置によれば、第１所定値以上の周波数の信号の振幅値が第１所定振幅値以上である場合、ガバナ付きガス器具の使用であると判断する。ここで、第１所定値以上の周波数の信号の振幅値が大きいということは、ガス漏れ又はガバナ無しガス器具の使用であることはあり得ず、ガバナ付きガス器具の使用であると断定することができる。よって、上記の如く判断することで、効率的な処理を行って、消費電力の増大を一層抑制することができる。
【００２０】
また、本発明の判断装置において、フィルタ手段は、第１所定値よりも大きい第４所定値以上の周波数成分を除去して出力することが好ましい。
【００２１】
この判断装置によれば、第１所定値よりも大きい第４所定値以上の周波数成分を除去して出力するため、第４所定値を、圧力センサや流量センサの応答性以上に設定しておけば、ノイズを除去することができる。
【００２２】
また、本発明の判断装置において、フィルタ手段は、第２所定値以上の周波数の信号を選択的に出力し、判断手段は、第２所定値以上の周波数の信号に基づいて、電子制御機能を有するガス器具の使用であるか否かを判断することが好ましい。
【００２３】
この判断装置によれば、第２所定値以上の周波数の信号を選択的に出力し、第２所定値以上の周波数の信号に基づいて、電子制御機能を有するガス器具の使用であるか否かを判断する。ここで、電子制御機能とは、ＰＩＤなどの自動制御によりガス量を細かく調整することでガス燃焼量を制御する機能をいう。このため、電子制御機能を有するガス器具の使用においては、比較的高い周波数が圧力波形や流量波形に重畳して、波形には高い周波数の振幅信号が重畳計測される。よって、第２所定値以上の周波数の信号に基づいてガバナ付きガス器具のうち、電子制御機能を有するガス器具の使用であるか否かを判断することで、電子制御機能を有するガス器具の使用について判断精度を高めることができる。
【００２４】
また、本発明の判断装置において、判断手段は、第２所定値以上の周波数の信号の振幅値が第２所定振幅値以上である場合に、電子制御機能を有するガス器具の使用であると判断することが好ましい。
【００２５】
この判断装置によれば、第２所定値以上の周波数の信号の振幅値が第２所定振幅値以上である場合に、電子制御機能を有するガス器具の使用であると判断する。ここで、電子制御機能を有するガス器具では、５０Ｈｚ以上の比較的高い周波数帯において振幅値が大きくなる傾向にある。このため、第２所定値以上の周波数の信号の振幅値が第２所定振幅値以上である場合に、電子制御機能を有するガス器具の使用であると判断することで、電子制御機能を有するガス器具の使用について判断精度を高めることができる。
【００２６】
また、本発明の判断装置において、フィルタ手段は、第２所定値よりも大きい第４所定値以上の周波数成分を除去して出力することが好ましい。
【００２７】
この判断装置によれば、第２所定値よりも大きい第４所定値以上の周波数成分を除去して出力するため、第４所定値を、圧力センサや流量センサの応答性以上に設定しておけば、ノイズを除去することができる。
【００２８】
また、本発明の判断装置において、フィルタ手段は、５０Ｈｚ付近及び６０Ｈｚ付近の少なくとも一方の周波数成分を除去して出力することが好ましい。
【００２９】
この判断装置によれば、５０Ｈｚ付近及び６０Ｈｚ付近の少なくとも一方の周波数成分を除去して出力するため、家電等の電源となる商用電源の周波数がノイズとして波形に重畳してしまう事態を防止することができる。
【００３０】
また、本発明の判断装置において、判断手段は、マイコンの１機能であって、フィルタ手段は、マイコンの周辺アナログ回路であることが好ましい。
【００３１】
この判断装置によれば、フィルタ手段はマイコンの周辺アナログ回路であるため、周波数信号を選択的に出力するにあたり、マイコン内で演算等を行う必要がなく、演算量を少なくして消費電力を低減させることができる。
【００３２】
また、本発明の判断方法は、流路内のガス圧力に応じた電気信号を出力する圧力センサ、又は、流路内のガス流量に応じた電気信号を出力する流量センサからの電気信号を入力して、所定の周波数信号を選択的に出力するフィルタ工程と、フィルタ工程により選択出力された所定の周波数信号に基づいて、ガス使用状況を判断する判断工程と、を有することを特徴とする。ここで、ガス使用状況とは、ガス器具の使用であるかガス漏れであるかのどちらに該当するか、ガバナ付きガス器具の使用であるか、使用されているガス器具がガバナ付きかガバナ無しか、及び、使用されているガス器具が電子制御機能を有するか否かの少なくとも１つを含む概念である。
【００３３】
この判断方法によれば、所定の周波数信号を選択的に出力し、選択的に出力された所定の周波数信号に基づいて、ガス使用状況を判断する。ここで、ガバナ付きガス器具の使用、ガバナ無しガス器具の使用、ガス漏れ、及び電子制御機能を有するガス器具の使用については、圧力波形や流量波形の周波数にそれぞれ差異がある。すなわち、電子制御機能を有するガス器具の使用時に最も高い周波数成分が得られ、次いで、ガバナ付きガス器具の使用時、ガバナ無しガス器具の使用、及び、ガス漏れの順となる傾向にある。よって、所定の周波数信号を選択的に出力することで、周波数分析に関する演算量を減らすことができ、ガス使用状況を判断するにあたり消費電力の増大を抑制することができる。
【発明の効果】
【００３４】
本発明によれば、ガス使用状況を判断するにあたり、消費電力の増大を抑制することが可能な判断装置及び判断方法を提供することができる。
【発明を実施するための最良の形態】
【００３５】
以下、本発明の好適な実施形態を図面に基づいて説明する。図１は、本発明の実施形態に係る判断装置を含むガス供給システムの構成図である。ガス供給システム１は、ガスストーブ、ファンヒータ、給湯器及びテーブルコンロなどの各ガス器具１０に燃料ガスを供給するものであって、複数のガス器具１０と、ガス供給元の調整器２０と、配管３１，３２と、ガスメータ（判断装置）４０とを備えている。なお、図１に示す例では、ガスメータ４０を判断装置の一例として挙げるが、判断装置はガスメータ４０に限るものではない。
【００３６】
調整器２０は上流からの燃料ガスを所定圧力に調整して第１配管３１に流すものである。この調整器２０は、例えば燃料ガスを２．９ｋＰａ程度の圧力に調整して第１配管３１に流す構成となっている。第１配管３１は、調整器２０とガスメータ４０とを接続するものである。第２配管３２はガスメータ４０とガス器具１０とを接続する配管である。ガスメータ４０は、燃料ガスの流量を測定して積算流量を表示するものである。このようなガス供給システム１では、ガスメータ４０内に第１配管３１及び第２配管３２とつながる流路が形成されており、調整器２０を通じて流れてきた燃料ガスは第１配管３１からガスメータ４０、及び第２配管３２を通じてガス器具１０に到達し、ガス器具１０において燃焼されることとなる。
【００３７】
また、ガス器具１０は、概略的に、遮断弁１２、ガバナ１３、及びバーナー１４を備えている。遮断弁１２は、ガス器具１０に設けられた弁である。ガバナ１３は、ガバナ内弁１３ａを有し、ガス器具１０のバーナー１４に供給するガスの圧力をガバナ内弁１３ａの開度によって調整するものである。圧力調整された燃料ガスはガバナ１３の先端のノズル１３ｂを通じてバーナー１４に至り、燃焼することとなる。なお、ガス器具１０は、全てがガバナ１３を有しているわけでなく、ガスコンロなどのようにガバナ１３を有さないものもある。
【００３８】
図２は、図１に示したガバナ１３の一例を示す側方断面図である。なお、図２では、ガバナ１３の一例を示すに過ぎず、ガバナ１３の構成は図２に示すものに限られない。また、図２に示すガバナ１３については図１に示したノズル１３ｂを省略して図示する。
【００３９】
図２に示すようにガバナ１３は、外壁１３ｃとガバナキャップ１３ｄとによって形成される内部空間の一部をガス流路として用いるものである。このようなガバナ１３は、ガバナ内弁１３ａに加えて、内部空間に、ダイヤフラム１３ｅ、調整スプリング１３ｆ、及び調整ネジ１３ｇを備えている。
【００４０】
ダイヤフラム１３ｅは、ガバナ１３の内部空間を仕切る膜状の部材である。このダイヤフラム１３ｅには、一方側（流路側）にガバナ内弁１３ａが取り付けられている。また、ダイヤフラム１３ｅの他方側（流路として機能しない側）に調整スプリング１３ｆが取り付けられている。調整スプリング１３ｆは、一端にダイヤフラム１３ｅが取り付けられ、他端に調整ネジ１３ｇが取り付けられている。調整ネジ１３ｇは、ねじ切り溝が形成されたガバナ１３の内壁に固定される構造となっており、ねじ切り溝との固定位置を変化させることで調整スプリング１３ｆの圧縮率を変更可能となっている。また、調整ネジ１３ｇは外部にむき出しとなっておらず、ガバナキャップ１３ｄによって覆われた構造となっている。
【００４１】
また、ガバナ１３の外壁１３ｃには、ダイヤフラム１３ｅの他方側に通じる空気孔１３ｈが形成されている。このため、ダイヤフラム１３ｅの他方側は空気圧となっている。さらに、図２に示す例においてガバナ内弁１３ａは半球形状となっており、上下動によって通過口１３ｉの開口割合を制御可能となっている。
【００４２】
このようなガバナ１３では、ガス入側のガス圧が高くなると、ダイヤフラム１３ｅが上へ押し上げられ、同時にダイヤフラム１３ｅに取り付けられているガバナ内弁１３ａも上に引き上げられる。これにより、通過口１３ｉの開口割合が小さくなって、ガス流量が減少する。一方、ガス入側のガス圧が低くなると、ダイヤフラム１３ｅが下がり、同時にダイヤフラム１３ｅに取り付けられているガバナ内弁１３ａも下がる。これにより、通過口１３ｉの開口割合が大きくなって、ガス流量が増大する。このように、ガバナ１３は上流側の圧力の変動に対して下流側の流量を一定に保つことで、下流側の圧力を調整することとなる。
【００４３】
図３は、本発明の実施形態に係るガスメータ４０の構成図である。同図に示すガスメータ４０は、流路内のガス流量が増加した場合、又は流路内のガス圧力が減少した場合に、その流量や圧力の変化に基づいてガス使用状況を判断するものである。ここで、ガス使用状況とは、ガス器具１０の使用であるかガス漏れであるかのどちらに該当するか、ガバナ付きガス器具１０の使用であるか、使用されているガス器具１０がガバナ付きかガバナ無しか、及び、使用されているガス器具１０が電子制御機能を有するか否かの少なくとも１つを含む概念である。このようなガスメータ４０は、圧力センサ４１と、フィルタ装置（フィルタ手段）４２と、増幅器４３と、複数のＡ／Ｄコンバータ４４ａ〜４４ｃと、複数の振幅検出装置４５ａ，４５ｂと、演算処理装置（判断手段）４６（以下マイコン４６と称する）とを備えている。なお、本実施形態では、圧力センサ４１からの電気信号に基づいて、ガバナ付きガス器具１０の使用等を判断するガスメータ４０を例示するが、これに限らず、流路内のガス流量に応じた電気信号を出力する流量センサを備え、流量センサからの電気信号に基づいてガス使用状況を判断するものであってもよい。
【００４４】
ここで、ガスメータ４０の各種構成について詳細に説明するに先立って、ガスメータ４０がガス使用状況を判断する判断原理について説明する。図４は、ガス漏れが発生したときの圧力波形をフーリエ変換した結果を示すグラフであり、図５は、ガバナ無しガス器具１０が使用されたときの圧力波形をフーリエ変換した結果を示すグラフであり、図６〜図８は、ガバナ付きガス器具１０が使用されたときの圧力波形をフーリエ変換した結果を示すグラフである。なお、図４〜図８において縦軸は振幅を示し、横軸は周波数を示している。また、フーリエ変換した圧力波形は、圧力の変動が発生してから約０．３ｓ〜１ｓ経過するまでの時間帯において、１ｍｓの間隔で計測した圧力データからなっている。
【００４５】
図４に示すように、ガス漏れが発生した場合、得られる圧力波形には、２０Ｈｚ以上の周波数成分が殆ど含まれていない。また、図５に示すように、ガバナ無しガス器具１０が使用された場合、得られる圧力波形には、２０Ｈｚ以上の周波数成分が殆ど含まれていないが、約１０Ｈｚ付近の周波数成分が多く含まれる傾向がある。また、図６〜図８に示すように、ガバナ付きガス器具１０が使用された場合、得られる圧力波形には、２０Ｈｚ以上の周波数成分が多く含まれる傾向がある。
【００４６】
従って、得られた圧力波形の周波数を分析すれば、ガバナ付きガス器具１０の使用、ガバナ無しガス器具１０の使用、及びガス漏れを判断することができる。なお、図４〜図６において６０Ｈｚ付近に存在するピークは、商用電源によるノイズである。
【００４７】
なお、上記のような特徴が発生する理由は以下の通りである。まず、ガバナ付きガス器具１０が使用された場合に、圧力波形に高い周波数成分が含まれる理由は、ガバナ１３内に調整スプリング１３ｆが設けられているからである。すなわち、ガバナ付きガス器具１０の使用が開始されると、調整スプリング１３ｆが振動すると共に、ガバナ内弁１３ａについても振動し、通過口１３ｉの開口割合についても小刻みに大きくなったり小さくなったりと変化するからである。このように、調整スプリング１３ｆが小刻みに振動することから、圧力波形は比較的高い振動周波数を示すこととなる。
【００４８】
なお、圧力Ｐは、
【数１】
2010139286.tif 000003
なる演算式で表すことができる。ここで、Ｃは振幅を示し、ｋは摩擦力（減衰定数）を示し、ωは復元力を示し、αは初期位置を示している。この式は多くの周波数ｆｉ＝ωｉ／２πの振動の重ね合わせであることを示している。
【００４９】
また、ガバナ無しガス器具１０が使用された場合に、圧力波形に中程度の周波数成分が含まれる理由は、以下の通りである。図９は、ガバナ無しガス器具１０での燃料ガスの供給の様子を示す概略図である。図９に示すように、ガバナ無しガス器具１０が使用された場合、燃料ガスは第２配管３２からノズルホルダ１００を通じてバーナー１４等に至る。ここで、ノズルホルダ１００にある流速を持った気体が流入したときはその慣性力で急には流速が小さくならずに一端ガスが圧縮され圧力が上昇する。その後上昇した圧力により流入流速が小さく（場合によっては逆流）なって圧力が下がる。これを繰り返すことで圧縮膨張の振動が発生する。
【００５０】
ところが、ガバナ無しガス器具１０の場合、ガバナ付きガス器具１０のように、細かく振動する調整スプリング１３ｆを有していない。このため、ガバナ無しガス器具１０の使用による圧力波形は、ガバナ無しガス器具１０の使用時よりも高い周波数成分が含まれることなく、中程度の周波数成分を示すこととなる。
【００５１】
また、ガス漏れが発生した場合、調整スプリング１３ｆの振動、及び、ノズルホルダ１００の圧縮性による振動の双方が発生しない。このため、圧力波形には明確な振動が見られず、中程度以上の周波数成分すら含まれないこととなる。
【００５２】
以上のように、ガバナ付きガス器具１０の使用開始時と、ガバナ無しガス器具１０の使用開始時と、ガス漏れ発生時とでは、圧力波形の周波数成分に違いが生じることとなる。本実施形態に係るガスメータ４０は、上記の特徴から、ガバナ付きガス器具１０の使用であるか、ガバナ無しガス器具１０の使用であるか、ガス漏れであるかを判断することができる。
【００５３】
なお、上記では圧力を例に説明したが、圧力と流量とには一定の相関があり、周波数についても圧力と流量との間では、ほぼ同様の結果が得られる。よって、ガスメータ４０は、流量によってもガバナ付きガス器具１０の使用であるか、ガバナ無しガス器具１０の使用であるか、ガス漏れであるかを判断することができる。
【００５４】
さらに、本実施形態に係るガスメータ４０は、ガバナ付きガス器具１０のうち電子制御機能を有するガス器具１０であるか、電子制御機能を有さないガス器具１０であるかを判断することができるようになっている。ここで、電子制御機能とは、少なくとも５０Ｈｚ以上の速度でＰＩＤなどの自動制御によりガス量を細かく調整することでガス燃焼量を制御する機能をいい、例えば給湯器などで温度を調整する機能をいう。
【００５５】
図７及び図８に示すように、電子制御機能を有するガス器具１０では、商用電源の周波数を超える周波数成分（例えば７０Ｈｚ以上）が得られている。一方、図６に示すように、電子制御機能を有さないガス器具１０では、商用電源の周波数を超える周波数成分があまり得られない。これは、電子制御において少なくとも５０Ｈｚの速度でガス量を調整するため、この周波数がそのまま、ノイズ的に重畳してしまうからである。このため、例えば７０Ｈｚ以上の周波数成分を分析することにより、電子制御機能を有するガス器具１０であるか、電子制御機能を有さないガス器具１０であるかを判断することができる。
【００５６】
しかしながら、圧力波形や流量波形の周波数分析を行うと、処理量が多くなって消費電力の増大を招いてしまう可能性がある。特に、判断装置がガスメータ４０である場合、ガスメータ４０は、電池によって１０年間駆動しなければならず、消費電力の増大は大きな問題となってしまう。
【００５７】
そこで、本実施形態に係るガスメータ４０は、フィルタ装置４２を備えており、フィルタ装置４２によって圧力センサ４１から電気信号を所定の周波数毎に選択的に出力し、選択的に出力された周波数の信号に基づいて、ガス使用状況を判断して、消費電力の増大を抑制することとしている。再度、図３を参照して、ガスメータ４０の各要素について詳細に説明する。
【００５８】
圧力センサ４１は、ガスメータ４０内の流路に設置され、流路内のガス圧力に応じた電気信号を出力するものである。この圧力センサ４１は、駆動回路（図示せず）からのトリガ信号を入力して駆動し、得られた電気信号を第１フィルタ装置４２ａに出力する構成となっている。なお、トリガ信号が出力されるタイミングは、流路内のガス流量が増加した場合や流路内のガス圧力が減少した場合である。また、トリガ信号が入力されてから０．３秒〜１秒程度経過すると、圧力センサ４１は非駆動状態となる。
【００５９】
フィルタ装置４２は、圧力センサ４１からの電気信号を入力して所定の周波数信号を出力するものであって、具体的にはハイパスフィルタ、ローパスフィルタ及びバンドパスフィルタなどによって構成されている。このフィルタ装置４２のうち、第１フィルタ装置４２ａは、圧力センサ４１からの電気信号を入力して、第１所定値（例えば１５Ｈｚ）未満の周波数の信号、及び、第１所定値以上の周波数の信号をそれぞれ選択的に出力するものである。マイコン４６は、第１所定値以上の周波数の信号に基づいて、ガバナ無しガス器具１０の使用及びガス漏れ、若しくはガバナ付きガス器具１０の使用、のどちらに該当するかを判断する。
【００６０】
第１Ａ／Ｄコンバータ４４ａは、第１フィルタ装置４２ａから出力された第１所定値未満の周波数の信号をアナログデジタル変換（以下Ａ／Ｄ変換という）してマイコン４６に送信するものである。マイコン４６は、第１Ａ／Ｄコンバータ４４ａによってＡ／Ｄ変換された圧力波形に基づいて、ガバナ無しガス器具１０の使用か否か、及び、ガス漏れか否かを判断することとなる。
【００６１】
増幅器４３は、第１フィルタ装置４２ａから出力された第１所定値以上の周波数の信号を１０倍程度に増幅したうえで出力するものである。ここで、図４〜図８に示したように、第１所定値以上の周波数の信号は、第１所定値未満の周波数の信号よりも振幅が小さくなる傾向にある。このため、本実施形態では第１所定値以上の周波数の信号を増幅することとしている。
【００６２】
第１振幅検出装置４５ａは、通常時にＯＦＦ信号を出力し、増幅器４３によって増幅された第１所定値以上の周波数の信号を入力して、この周波数の信号の振幅値が第１所定振幅値以上である場合にＯＮ信号を出力するものである。また、第１振幅検出装置４５ａは、ＯＮ／ＯＦＦ信号をマイコン４６に出力する。マイコン４６は、第１振幅検出装置４５ａからＯＦＦ信号を入力した場合に限り、ガス漏れ及びガバナ無しガス器具１０の使用を判断することとなる。一方、マイコン４６は、第１振幅検出装置４５ａからＯＮ信号を入力した場合、ガバナ付きガス器具１０の使用であると判断する。
【００６３】
第２フィルタ装置４２ｂは、第１所定値以上の周波数の信号を、第１所定値以上第２所定値（例えば７０Ｈｚ）未満の周波数の信号と、第２所定値以上の周波数の信号にして選択的に出力するものである。
【００６４】
第２振幅検出装置４５ｂは、通常時にＯＦＦ信号を出力し、第２フィルタ装置４２ｂから出力された周波数の信号を入力して、この周波数の信号の振幅値が第２所定振幅値以上である場合にＯＮ信号を出力するものである。また、第２振幅検出装置４５ｂは、ＯＮ／ＯＦＦ信号をマイコン４６に出力する。マイコン４６は、第２振幅検出装置４５ｂからＯＦＦ信号を入力した場合に、ガバナ付きガス器具１０の使用であって、電子制御機能を有さないガス器具１０の使用であると判断する。また、マイコン４６は、第２振幅検出装置４５ｂからＯＮ信号を入力した場合に、ガバナ付きガス器具１０の使用であって、電子制御機能を有するガス器具１０の使用であると判断する。
【００６５】
具体的に第１・第２振幅検出装置４５ａ，４５ｂはピークホールド回路によって構成される。ピークホールド回路は、フィルタ装置４２から出力されたアナログ信号を入力すると、最大振幅の値を保持して出力する。なお、いつまでも最大振幅の値を保持しないように定期的にリセットをかける必要がある。
【００６６】
なお、本実施形態では第１・第２振幅検出装置４５ａ，４５ｂをマイコン周辺回路として説明しているが、これに限らず、第１・第２振幅検出装置４５ａ，４５ｂと同等の機能をマイコン内に持ち、フィルタ装置４２から入力したアナログ信号を解析して振幅が所定値以上であるか否かを判断しても良い。
【００６７】
第２Ａ／Ｄコンバータ４４ｂは、第２フィルタ装置４２ｂから出力された第１所定値以上第２所定値未満の周波数の信号をＡ／Ｄ変換してマイコン４６に送信するものである。マイコン４６は、第２Ａ／Ｄコンバータ４４ｂによってＡ／Ｄ変換された圧力波形に基づいて、電子制御機能を有さないガバナ付きガス器具１０が、どのような種類のガス器具１０であるかを判断することとなる。
【００６８】
第３Ａ／Ｄコンバータ４４ｃは、第２フィルタ装置４２ｂから出力された第２所定値以上の周波数の信号をＡ／Ｄ変換してマイコン４６に送信するものである。マイコン４６は、第３Ａ／Ｄコンバータ４４ｃによってＡ／Ｄ変換された圧力波形に基づいて、電子制御機能を有するガバナ付きガス器具１０が、どのような種類のガス器具１０であるかを判断することとなる。
【００６９】
図１０は、本実施形態に係るガスメータ４０の判断方法を示すフローチャートである。図１０に示すフローチャートは、トリガ信号が圧力センサ４１に入力されることにより開始する。開始後、まず圧力センサ４１は圧力計測を開始する（Ｓ１）。
【００７０】
次いで、マイコン４６は、第１振幅検出装置４５ａからのＯＮ／ＯＦＦ信号に基づいて、１５Ｈｚ以上の振幅が第１所定振幅値以上であるか否かを判断する（Ｓ２）。１５Ｈｚ以上の振幅が第１所定振幅値以上であると判断した場合（Ｓ２：ＹＥＳ）、マイコン４６は、ガバナ１３の振動による特徴が発生していることから、ガバナ付きガス器具１０の使用であると判断する（Ｓ３）。
【００７１】
その後、マイコン４６は、第２振幅検出装置４５ｂからのＯＮ／ＯＦＦ信号に基づいて、７０Ｈｚ以上の振幅が第２所定振幅値以上であるか否かを判断する（Ｓ４）。７０Ｈｚ以上の振幅が第２所定振幅値以上であると判断した場合（Ｓ４：ＹＥＳ）、マイコン４６は、電子制御機能を有したガス器具１０の使用であると判断する（Ｓ５）。
【００７２】
その後、マイコン４６は、７０Ｈｚ以上の波形を解析し（Ｓ６）、ガス器具１０の種類を判別する（Ｓ７）。ガス器具１０の種類の判別は、例えば以下のようにして行われる。まず、マイコン４６が７０Ｈｚ以上の波形をフーリエ変換して、図７や図８に示すようなスペクトルデータを取得する。また、マイコン４６は、ガス器具１０の種類毎にスペクトルデータを記憶しており、フーリエ変換により得られたスペクトルデータと記憶されたガス器具１０毎のスペクトルデータとのそれぞれとを比較して一致度を算出する。そして、マイコン４６は、最も一致度が高いガス器具１０が使用されたと判別することとなる。なお、ガバナ付き且つ電子制御機能を有したガス器具１０としては、例えば給湯器やファンヒータなどがある。そして、図１０に示す処理は終了する。
【００７３】
一方、７０Ｈｚ以上の振幅が第２所定振幅値以上でないと判断した場合（Ｓ４：ＮＯ）、マイコン４６は、電子制御機能を有さないガス器具１０の使用であると判断する（Ｓ８）。
【００７４】
その後、マイコン４６は、１５〜７０Ｈｚの波形を解析し（Ｓ９）、ガス器具１０の種類を判別する（Ｓ１０）。ステップＳ１０における種類の判別方法はステップＳ７と同様である。なお、ガバナ付き且つ電子制御機能を有さないガス器具１０としては、例えばガスストーブやグリルなどがある。そして、図１０に示す処理は終了する。
【００７５】
ところで、１５Ｈｚ以上の振幅が第１所定振幅値以上でないと判断した場合（Ｓ２：ＮＯ）、マイコン４６は、ガバナ無しガス器具１０の使用、又はガス漏れであると判断する（Ｓ１１）。その後、マイコン４６は、流量センサ（図示せず）からの電気信号を入力して、流量が所定量以上であるか否かを判断する（Ｓ１２）。
【００７６】
流量が所定量以上であると判断した場合（Ｓ１２：ＹＥＳ）、マイコン４６は、ガス漏れと判断する（Ｓ１３）。ここで、１５Ｈｚ以上の振幅が第１所定振幅値以上でなく、ガバナ付きガス器具１０の使用であることがあり得ない状況下において、流路内のガス流量が所定量以上となった場合には、もはやガス漏れでしかあり得なくなる。詳細に説明すると、テーブルコンロなどのガバナ無しガス器具１０では大きなガス流量が発生しないため、それ以上の流量が発生するということは、もはやガス漏れでしかなくなる。従って、マイコン４６は、流量が所定量以上の場合にガス漏れと判断し、周波数分析を行うことなく、演算量を減らすこととしている。
【００７７】
その後、マイコン４６は、ガス漏れ対策として保安処理を実行する（Ｓ１４）。具体的にマイコン４６は、遮断弁を遮断させたり、警報器に警報動作を行わせたりする。そして、図１０に示す処理は終了する。
【００７８】
ここで、流量が所定量以上であると判断して（Ｓ１２：ＹＥＳ）、ガス漏れと判断した場合（Ｓ１３）、大流量のガス漏れであり危険度が高い。ところが、本実施形態では、上記場合、周波数分析等の演算処理（Ｓ１５及びＳ１６）を行わずに保安処理（Ｓ１４）を実行するため、ガス漏れ発生から保安処理実行までの時間を短くすることができる。
【００７９】
また、流量が所定量以上でないと判断した場合（Ｓ１２：ＮＯ）、マイコン４６は、何らかの方法でガバナ無しガス器具１０の使用かガス漏れかを判断する（Ｓ１５）。例えば、その判断処理の方法として、１５Ｈｚ未満の波形を解析し、ガバナ無しガス器具１０の標準波形と比較演算し、その一致度が所定値以上であるとき、ガバナ無しガス器具１０の使用であると判断する。このとき、１５Ｈｚ未満の周波数の信号をフーリエ変換し、スペクトルデータとしてから比較演算しても良い。
【００８０】
その他の判断処理（Ｓ１５）の方法としては、例えば１５Ｈｚ未満の周波数の信号のうち、第３所定値（例えば１０Ｈｚ）以上の周波数の信号が第３所定振幅値以上である場合にガバナ無しガス器具１０の使用と判断し、第３所定振幅値未満である場合にガス漏れと判断する。すなわち、図４及び図５に示したように、ガバナ無しガス器具１０の使用とガス漏れとの周波数成分の差異から、マイコン４６は、ガバナ無しガス器具１０の使用に該当するか、又はガス漏れに該当するかを判断する。
【００８１】
その後、マイコン４６は、ガス漏れと判断されたか否かを判断する（Ｓ１６）。ガス漏れであると判断されていた場合（Ｓ１６：ＹＥＳ）、処理はステップＳ１３に移行し、保安処理が実行される（Ｓ１４）。この場合は小流量のガス漏れであるため、判断処理等（Ｓ１５及びＳ１６）程度のわずかな時間の遅れであればなんら問題はない。そして、図１０に示す処理は終了する。
【００８２】
他方、ガス漏れでないと判断されていた場合（Ｓ１６：ＮＯ）、すなわちガバナ無しガス器具１０の使用であると判断されていた場合、マイコン４６は、ガス器具１０の種類を判別する（Ｓ１７）。なお、ガバナ無しガス器具１０としては、例えばテーブルコンロなどがある。そして、図１０に示す処理は終了する。
【００８３】
なお、この実施形態において、各Ａ／Ｄコンバータ４４はそれぞれ適切な変換動作をすればよい。すなわち、第１Ａ／Ｄコンバータ４４ａは第１所定値未満の周波数信号を入力するので第１所定値未満の周波数信号が計測できればよい。同様に、第２Ａ／Ｄコンバータ４４ｂは第２所定値未満の周波数信号を入力するので第２所定値未満の周波数信号が計測できればよい。また、第３Ａ／Ｄコンバータ４４ｃは第４所定値未満の周波数信号を入力するので第４所定値未満の周波数信号が計測できればよい。よって、第１所定値を１５Ｈｚ、第２所定値を７０Ｈｚ、第４所定値を３００Ｈｚとした場合、第１〜第３Ａ／Ｄコンバータ４４の計測間隔は、それぞれ６ミリ秒以下、２ミリ秒以下、０．５ミリ秒以下で設定すればよい。
【００８４】
しかし、図３のような構成を用いずに１つのＡ／Ｄコンバータですべての周波数範囲を解析する場合は、第４所定値未満の周波数信号を入力しなければならないので、第４所定値を３００Ｈｚとすれば、０．５ミリ秒以下の計測を行わなければならない。よって、図３の構成を用いた方が、１つのＡ／Ｄコンバータのみを用いる場合と比較して有利である。さらに、解析に必要な信号データを１０２４個とした場合、図３に示す実施形態ではそれぞれ１０２４個計測し、３０７２個のデータすむが、図３の構成を用いずに１つのＡ／Ｄコンバータを用いた場合には、６ミリ秒で１０２４個のデータを計測する時間分計測しなければならなくなり、１２２８８個のデータを計測することとなる。さらには、それらを一通り演算処理しなければならなくなってしまう。従って、図３に示す構成は１つのＡ／Ｄコンバータのみを用いる場合と比較して一層有利であるといえる。
【００８５】
このようにして、本実施形態に係るガスメータ４０及び判断方法によれば、第１所定値（例えば１５Ｈｚ）以上の周波数の信号を選択的に出力し、第１所定値以上の周波数の信号に基づいて、ガス漏れ及びガバナ無しガス器具１０の使用、若しくはガバナ付きガス器具１０の使用、のどちらかであるかを判断する。このように、ガス漏れ及びガバナ無しガス器具１０の使用であるか、若しくはガバナ付きガス器具１０の使用であるか、を判断するにあたっては、第１所定値以上の周波数の信号を分析するだけでよく、第１所定値未満の周波数の信号を分析する必要がない。よって、処理量は軽減されることとなる。従って、消費電力の増大を抑制することができる。
【００８６】
また、第１所定値以上の周波数の信号の振幅値が第１所定振幅値以上でない場合のみに、ガス漏れ及びガバナ無しガス器具１０の使用のどちらかであると判断する。ここで、第１所定値以上の周波数の信号の振幅値が小さいということはガバナ付きガス器具１０の使用であることはあり得ず、ガス漏れ又はガバナ無しガス器具１０の使用と断定することができる。よって、上記場合のみにガス漏れ及びガバナ無しガス器具１０の使用を判断することで、効率的な処理を行って、消費電力の増大を一層抑制することができる。
【００８７】
また、第１所定値未満の周波数の信号のうち、第３所定値（例えば１０Ｈｚ）以上の周波数の信号が第３所定振幅値以上である場合にガバナ無しガス器具１０の使用と判断し、第３所定振幅値未満である場合にガス漏れと判断する。ここで、ガバナ無しガス器具１０の使用とガス漏れとの間では、ガバナ無しガス器具１０の使用時に得られる波形に含まれる高い周波数成分の振幅が大きくなり、ガス漏れ時に得られる波形ではその高い周波数成分の振幅が小さくなる傾向にある。よって、第３所定値以上の周波数の信号が第３所定振幅値以上であるか未満であるかを判断することによって、ガバナ無しガス器具１０の使用であるか否か、及びガス漏れであるか否かを判断することができる。
【００８８】
また、流路内のガス流量が所定量以上であると判断した場合、ガス漏れと判断する。すなわち、第１所定値以上の周波数の信号の振幅値が第１所定振幅値以上でなく、ガバナ付きガス器具１０の使用であることがあり得ない状況下において、流路内のガス流量が所定量以上となった場合には、もはやガス漏れでしかあり得なくなる。従って、上記の如く判断することにより、周波数分析という演算量が多くなる処理を行うことなく、ガス漏れを判断することができる。
【００８９】
また、第１所定値以上の周波数の信号の振幅値が第１所定振幅値以上である場合、ガバナ付きガス器具１０の使用であると判断する。ここで、第１所定値以上の周波数の信号の振幅値が大きいということは、ガス漏れ又はガバナ無しガス器具１０の使用であることはあり得ず、ガバナ付きガス器具１０の使用であると断定することができる。よって、上記の如く判断することで、効率的な処理を行って、消費電力の増大を一層抑制することができる。
【００９０】
また、第２所定値以上の周波数の信号を選択的に出力し、第２所定値以上の周波数の信号に基づいて、電子制御機能を有するガス器具１０の使用であるか否かを判断する。ここで、電子制御機能とは、ＰＩＤなどの自動制御によりガス量を細かく調整することでガス燃焼量を制御する機能をいう。このため、電子制御機能を有するガス器具１０の使用においては、比較的高い周波数が圧力波形や流量波形に重畳して、波形には高い周波数の振幅信号が重畳計測される。よって、第２所定値以上の周波数の信号に基づいてガバナ付きガス器具１０のうち、電子制御機能を有するガス器具１０の使用であるか否かを判断することで、電子制御機能を有するガス器具１０の使用について判断精度を高めることができる。
【００９１】
また、第２所定値以上の周波数の信号の振幅値が第２所定振幅値以上である場合に、電子制御機能を有するガス器具１０の使用であると判断する。ここで、電子制御機能を有するガス器具１０では、５０Ｈｚ以上の比較的高い周波数帯において振幅値が大きくなる傾向にある。このため、第２所定値以上の周波数の信号の振幅値が第２所定振幅値以上である場合に、電子制御機能を有するガス器具１０の使用であると判断することで、電子制御機能を有するガス器具１０の使用について判断精度を高めることができる。
【００９２】
また、フィルタ装置４２はマイコン４６の周辺アナログ回路であるため、周波数信号を選択的に出力するにあたり、マイコン４６内で演算等を行う必要がなく、演算量を少なくして消費電力を低減させることができる。
【００９３】
以上、実施形態に基づき本発明を説明したが、本発明は上記実施形態に限られるものではなく、本発明の趣旨を逸脱しない範囲で、変更を加えてもよい。
【００９４】
本実施形態において判断装置はガスメータ４０の内部構成として存在しているが、これに限らず、判断装置をガスメータ４０から取り出して構成してもよい。
【００９５】
また、本実施形態においてガスメータ４０は、ガバナ付きガス器具１０の使用、ガバナ無しガス器具１０の使用、及びガス漏れの３つについて判別することができるが、これに限らず、所定の周波数信号を選択的に出力し、選択的に出力された所定の周波数信号に基づいて、ガス使用状況を判断するように構成されていてもよい。これによっても、消費電力の増大を抑制することができるからである。具体的に説明すると、ガバナ付きガス器具１０の使用、ガバナ無しガス器具１０の使用、ガス漏れ、及び電子制御機能を有するガス器具１０の使用については、圧力波形や流量波形の周波数にそれぞれ差異がある。すなわち、電子制御機能を有するガス器具１０の使用時に最も高い周波数成分が得られ、次いで、ガバナ付きガス器具１０の使用時、ガバナ無しガス器具１０の使用、及び、ガス漏れの順となる傾向にある。よって、所定の周波数信号を選択的に出力することで、周波数分析に関する演算量を減らすことができ、ガス使用状況を判断するにあたり消費電力の増大を抑制することができる。
【００９６】
また、本実施形態においてフィルタ装置４２は、第１所定値（１５Ｈｚ）以上の周波数の信号や、第２所定値（７０Ｈｚ）以上の周波数の信号を選択的に出力する場合、第１所定値及び第２所定値よりも大きい第４所定値（例えば３００Ｈｚ〜１ｋＨｚ程度）以上の周波数成分を除去して出力するようになっていてもよい。これにより、圧力センサや流量センサの応答性以上を示すノイズについて除去することができるからである。
【００９７】
また、フィルタ装置４２は、５０Ｈｚ付近及び６０Ｈｚ付近の少なくとも一方の周波数成分を除去して出力するようになっていてもよい。これにより、家電等の電源となる商用電源の周波数がノイズとして波形に重畳してしまう事態を防止することができるからである。
【００９８】
さらに、上記実施形態において第１フィルタ装置４２ａは、１５Ｈｚを境にして信号を分割しているが、１５Ｈｚに限らず１０Ｈｚ〜３０Ｈｚのいずれかの周波数を境に分割するようにしてもよい。また、第２フィルタ装置４２ｂは、商用電源の周波数よりも高い周波数であれば、７０Ｈｚに限らず他の周波数を境にして信号を分割するようにしてもよい。また、２０Ｈｚ〜４０Ｈｚの信号を選択的に出力するバンドパスフィルタを備え、この信号に基づいてガバナ付きガス器具１０の使用を判断するようにしてもよい。
【００９９】
特に、上記実施形態においてフィルタ装置４２は、１５Ｈｚ及び７０Ｈｚを境として、３つの周波数帯に分割するようにしているが、これに限らず、例えば０〜５Ｈｚ、５〜１５Ｈｚ、１５〜４５Ｈｚ、４５〜８０Ｈｚ及び８０〜５００Ｈｚなどの５段階に分割してもよい。なお、周波数は５段階に分割する場合に限らず、２段階や４段階でもよいし、６段階以上に分割されてもよい。
【０１００】
さらには、高周波領域に対しては、その周波数成分があるか無いかを出力するだけの回路（例えばピークホールド回路）を設けて、その出力をマイコン４６に入力するようにしてもよい。
【０１０１】
また、低周波数の波形は、初期圧力（元圧）の影響を受けやすい。例えば、日中や夜間の温度変化によってガス管内のガス圧力が上昇してしまう。すなわち、日中にガスを未使用状態で放置しているとガス管内の温度が上昇し、調圧弁からガス器具までのガス管内の圧力が上昇してしまう。このような場合、低周波数の波形は、ガス管内の元圧の影響を受け易く、ガス漏れやガバナ付きガス器具１０の使用を判断する際に、誤った判断をしてしまう可能性が高まる。そこで、圧力センサ４１からの電気信号のうち、５Ｈｚ未満の成分を除去するハイパスフィルタを備えていてもよい。あるいは、微分回路を設けて、ゆっくりとした変動成分を除去するようにしてもよい。
【０１０２】
また、本実施形態においてフィルタ装置４２は第１フィルタ装置４２ａと第２フィルタ装置４２ｂとからなっているが、電子制御機能の有無を判断する必要がない場合には、第２フィルタ装置４２ｂ及びこれに関連する第２Ａ／Ｄコンバータ４４ｂ等の構成を省略してもよい。また、図１０に示す例では、ステップＳ７，Ｓ１０に示すように７０Ｈｚを境として、それぞれの周波数成分によりガス器具１０の種類を判別しているが、７０Ｈｚに境を設けることなく、１５Ｈｚ以上の周波数成分によって一括して、ガバナ付きガス器具１０の種類を判別するようにしてもよい。
【０１０３】
また、図１０に示す例では、ガバナ無しガス器具１０の種類を判別していないが、これに限らず、図１０のステップＳ７及びステップＳ１０と同様にして、ガバナ無しガス器具１０の種類を判別するようにしてもよい。
【０１０４】
さらに、本実施形態に係るガスメータ４０では複数のフィルタ装置４２ａ，４２ｂを備えているが、これに限らず、フィルタ装置４２は１つであってもよい。この場合、１つのフィルタ装置４２は、入力した信号を、１５Ｈｚ未満、１５Ｈｚ以上７０Ｈｚ未満、及び７０Ｈｚ以上の３つに分割して出力することとなる。加えて１つのフィルタ装置４２は１５Ｈｚ以上の信号を増幅したうえで出力すると一層よい。
【図面の簡単な説明】
【０１０５】
【図１】本発明の実施形態に係る判断装置を含むガス供給システムの構成図である。
【図２】図１に示したガバナの一例を示す側方断面図である。
【図３】本発明の実施形態に係るガスメータの構成図である。
【図４】ガス漏れが発生したときの圧力波形をフーリエ変換した結果を示すグラフである。
【図５】ガバナ無しガス器具が使用されたときの圧力波形をフーリエ変換した結果を示すグラフである。
【図６】ガバナ付きガス器具が使用されたときの圧力波形をフーリエ変換した結果を示すグラフであって、電子制御機能を有さないガス器具使用時のグラフである。
【図７】ガバナ付きガス器具が使用されたときの圧力波形をフーリエ変換した結果を示すグラフであって、電子制御機能を有するガス器具使用時の第１のグラフである。
【図８】ガバナ付きガス器具が使用されたときの圧力波形をフーリエ変換した結果を示すグラフであって、電子制御機能を有するガス器具使用時の第２のグラフである。
【図９】ガバナ無しガス器具での燃料ガスの供給の様子を示す概略図である。
【図１０】本実施形態に係るガスメータの判断方法を示すフローチャートである。
【符号の説明】
【０１０６】
１…ガス供給システム
１０…ガス器具
１２…遮断弁
１３…ガバナ
１３ａ…ガバナ内弁
１３ｂ…ノズル
１３ｃ…外壁
１３ｄ…ガバナキャップ
１３ｅ…ダイヤフラム
１３ｆ…調整スプリング
１３ｇ…調整ネジ
１３ｈ…空気孔
１４…バーナー
２０…調整器
３１…第１配管
３２…第２配管
４０…ガスメータ（判断装置）
４１…圧力センサ
４２…フィルタ装置（フィルタ手段）
４２ａ…第１フィルタ装置
４２ｂ…第２フィルタ装置
４３…増幅器
４４…Ａ／Ｄコンバータ
４４ａ…第１Ａ／Ｄコンバータ
４４ｂ…第２Ａ／Ｄコンバータ
４４ｃ…第３Ａ／Ｄコンバータ
４５…振幅検出装置
４５ａ…第１振幅検出装置
４５ｂ…第２振幅検出装置
４６…演算処理装置，マイコン（判断手段）
【図１】
2010139286.tif 000004
【図２】
2010139286.tif 000005
【図３】
2010139286.tif 000006
【図４】
2010139286.tif 000007
【図５】
2010139286.tif 000008
【図６】
2010139286.tif 000009
【図７】
2010139286.tif 000010
【図８】
2010139286.tif 000011
【図９】
2010139286.tif 000012
【図１０】
2010139286.tif 000013